(57)【要約】【課題】電磁気干渉に対する遮蔽性能を向上する。【解決手段】一端に、相手コネクタと接続するための接触部を備え、他端に、回路基板に実装される実装部を備える複数のターミナルと、該複数のターミナルが相互離間した形態で装着され、接触部が定着するタングプレートを備えるインシュレータと、該インシュレータと結合され、回路基板に装着される遮蔽シェルと、を備え、遮蔽シェルは、前方と後方に開口して、タングプレートを覆う収容部を備える第１のシェルと、第１のシェルの後面部に結合して、収容部の後方側開口を完全に覆うように配置されるベースプレートと、ベースプレートの両側面から前方へ延長形成されて、インシュレータの側面部の少なくとも一部を覆う延長プレートと、を備える第２のシェルと、を備えるものである。【選択図】図１
2019186215.tif 000002
【特許請求の範囲】
【請求項１】
一端に、相手コネクタと接続するための接触部を備え、他端に、回路基板に実装される実装部を備える複数のターミナルと、
前記複数のターミナルが相互離間した形態で装着され、前記接触部が定着するタングプレートを備えるインシュレータと、
前記インシュレータと結合され、前記回路基板に装着される遮蔽シェルと、
を備え、
前記遮蔽シェルは、
前方と後方に開口して、前記タングプレートを覆う収容部を備える第１のシェルと、
前記第１のシェルの後面部に結合して、前記収容部の後方側開口を完全に覆うように配置されるベースプレートと、前記ベースプレートの両側面から前方へ延長形成されて、前記インシュレータの側面部の少なくとも一部を覆う延長プレートと、を備える第２のシェルと、
を備える電気コネクタ。
【請求項２】
前記第１のシェルの後面部には、凹凸形態の結合部が形成され、前記第２のシェルには、前記凹凸形態で形成される嵌入部が形成されて、前記結合部と前記嵌入部とが噛み合う方式で結合される請求項１に記載の電気コネクタ。
【請求項３】
前記ベースプレートと前記延長プレートとの間には、ホール形態の連結部が形成され、該連結部は、前記結合部に嵌合される請求項２に記載の電気コネクタ。
【請求項４】
前記第１のシェルは、前記収容部の下面前端部から１８０度折り曲げられて後方へ延び、前記収容部の下面を完全に覆うカバー部をさらに備える請求項１に記載の電気コネクタ。
【請求項５】
前記第１のシェルは、前記カバー部の後端から折り曲げられて下方へ延びる遮蔽部をさらに備える請求項４に記載の電気コネクタ。
【請求項６】
前記インシュレータと前記複数のターミナルとは、前記遮蔽部と前記第２のシェルとの間に配置される請求項５に記載の電気コネクタ。
【請求項７】
前記収容部の下面には、一部が切欠き及び折り曲げられて前記相手コネクタを弾性支持する弾性片が形成され、前記カバー部には、前記弾性片が下方に弾性変形され得る空間を提供するように下方に陥没されたエンボス部が形成されることを特徴とする請求項４に記載の電気コネクタ。
【請求項８】
前記第１のシェルは、前記カバー部の両側から折り曲げられ、下方へ延びて前記回路基板に固定される複数の延長部をさらに備える請求項４に記載の電気コネクタ。
【請求項９】
前記延長部の下端には、前記回路基板に形成される挿入ホールに挿入されて半田付けされる固定ピンが形成される請求項８に記載の電気コネクタ。
【請求項１０】
前記インシュレータは、
垂直方向に形成されるインシュレータボディと、
前記インシュレータボディの上部から前方へ突出形成される前記タングプレートと、
前記インシュレータボディの下部両側から前方へ突出形成される側面プレートと、
を備える請求項１に記載の電気コネクタ。
【請求項１１】
前記延長プレートは、前記側面プレートより高く延長形成される請求項１０に記載の電気コネクタ。
【請求項１２】
一端に、相手コネクタと接続するための接触部を備え、他端に、回路基板に実装される実装部を備える複数のターミナルと、
前記複数のターミナルが相互離間した形態で装着され、前記接触部が定着するタングプレートを備えるインシュレータと、
前記インシュレータと結合され、前記回路基板に装着される遮蔽シェルと、
を備え、
前記遮蔽シェルは、
前方と後方に開口して、前記タングプレートを覆う収容部を備える第１のシェルと、
前記第１のシェルの後面部に結合して、前記収容部の後方側開口を完全に覆うように配置される第２のシェルと、
を備え、
前記第１のシェルの後面部には、凹凸形態の結合部が形成され、前記第２のシェルには、前記凹凸形態で形成される嵌入部が形成されて、前記結合部と前記嵌入部とが噛み合う方式で前記第１のシェルと前記第２のシェルとが相互結合される電気コネクタ。
【請求項１３】
前記第１のシェルは、前記収容部の下面前端部から１８０度で折り曲げられて後方へ延び、前記収容部の下面を完全に覆うカバー部をさらに備える請求項１２に記載の電気コネクタ。
【請求項１４】
前記収容部の下面には、一部が切欠き及び折り曲げられて前記相手コネクタを弾性支持する弾性片が形成され、前記カバー部には、前記弾性片が下方に弾性変形され得る空間を提供するように下方に陥没されたエンボス部が形成されることを特徴とする請求項１３に記載の電気コネクタ。
【請求項１５】
前記第１のシェルは、前記カバー部の後端から折り曲げられて下方へ延びる遮蔽部をさらに備え、
前記インシュレータと前記複数のターミナルとは、前記遮蔽部と前記第２のシェルとの間に配置される請求項１３に記載の電気コネクタ。
【請求項１６】
一端に、相手コネクタと接続するための接触部を備え、他端に、回路基板に実装される実装部を備える複数のターミナルと、
前記複数のターミナルが相互離間した形態で装着され、前記接触部が定着するタングプレートを備えるインシュレータと、
前記タングプレートを覆う収容部を備え、前記インシュレータと結合され、前記回路基板に装着される遮蔽シェルと、
を備え、
前記収容部の下面には、前記下面の一部が切欠き及び折り曲げられた弾性片が備えられ、
前記遮蔽シェルは、前記収容部の下面前端部から折り曲げられて後方側へ延びるカバー部をさらに備え、
前記カバー部は、前記弾性片により形成された開口を覆うように配置される電気コネクタ。
【請求項１７】
前記カバー部は、前記収容部の下面を完全に覆う請求項１６に記載の電気コネクタ。
【請求項１８】
前記カバー部には、前記弾性片が下方に弾性変形され得る空間を提供するように下方に陥没されたエンボス部が形成されることを特徴とする請求項１６に記載の電気コネクタ。
【請求項１９】
前記遮蔽シェルは、前記カバー部の両側から折り曲げられて下方へ延び、前記回路基板に固定される複数の延長部をさらに備える請求項１６に記載の電気コネクタ。
【請求項２０】
前記延長部の下端には、前記回路基板に形成される挿入ホールに挿入されて半田付けされる固定ピンが形成される請求項１９に記載の電気コネクタ。
【請求項２１】
前記遮蔽シェルは、前記カバー部の後端から折り曲げられて下方へ延びる遮蔽部をさらに備える請求項１６に記載の電気コネクタ。
【請求項２２】
前記複数のターミナルは、前記遮蔽部と第２のシェルとの間に配置される請求項２１に記載の電気コネクタ。
【請求項２３】
前記遮蔽シェルは、
前方と後方に開口する前記収容部と、前記カバー部を備える第１のシェルと、
前記第１のシェルの後面部に結合されて、前記収容部の後方側開口を完全に覆うように配置されるベースプレートと、前記ベースプレートの両側面から前方へ延長形成されて、前記インシュレータの側面部の少なくとも一部を覆う延長プレートを備える第２のシェルと、
を備える請求項１６に記載の電気コネクタ。
【請求項２４】
前記第１のシェルの後面部には、凹凸形態で形成される結合部が形成され、前記第２のシェルには、凹凸形態で形成される嵌入部が形成されて、前記結合部と前記嵌入部とが噛み合う方式で結合される請求項２３に記載の電気コネクタ。
【請求項２５】
前記ベースプレートと前記延長プレートとの間には、ホール形態の連結部が形成され、前記連結部は、前記結合部に嵌合される請求項２４に記載の電気コネクタ。
【発明の詳細な説明】
【技術分野】
【０００１】
本発明は、回路基板と回路基板、又は回路基板と電子部品とを電気的に接続して電気回路を構成する接続機構である電気コネクタに関する。
【背景技術】
【０００２】
電気コネクタは、回路基板と回路基板、又は回路基板と電子部品とを電気的に接続して電気回路を構成する接続機構である。一般的に、レセプタクルコネクタにプラグコネクタが差し込まれて機構的に結合され、２つの電気コネクタのターミナル又はピンが互いに導通されて回路基板と回路基板、又は回路基板と電子部品とが電気的に接続される。
【０００３】
電気コネクタには、多量の信号を早い時間内に交換するためにターミナルが複数個備えられ、ターミナルが装着されるインシュレータが複数のターミナルの相互間を電気的に絶縁させるように構成されている。
【０００４】
電気コネクタは、ターミナルを電磁気干渉から保護するために、金属等の材質で遮蔽する構造を有することができる。例えば、金属製のシェル（shell）がインシュレータに結合されているターミナルを覆うように構成することができる。遮蔽性能を向上するためには、シェルを、ターミナルが通る経路を最大限隠すように設計することが有利である。
【０００５】
従来の電気コネクタは、一般的には、シェルの一部を切欠き及び折り曲げて固定脚、弾性片、遮蔽部等を形成している（例えば、特許文献１参照）。
【先行技術文献】
【特許文献】
【０００６】
【特許文献１】大韓民国公開特許公報第１０−２０１８−００１２４４３号明細書
【発明の概要】
【発明が解決しようとする課題】
【０００７】
しかし、このような従来の電気コネクタは、前記切欠かれた部分の存在により、遮蔽性能が低下するという問題がある。
【０００８】
また、レセプタクルコネクタの後面、即ち、プラグコネクタが接続される反対側にも、追加的に電磁気干渉の遮蔽のための構造を設ける必要がある。上記特許文献に開示されたレセプタクルコネクタのように、単一材料を単に折り曲げて形成しただけのシェル構造では、インシュレータの後面及び側面の相当部分が隠されない。また、折り曲げのための打孔が必要である。これにより、インシュレータの露出された部分と、シェルの打孔部分とを介して電磁気干渉が発生する余地がある。
【０００９】
一方、レセプタクルコネクタが回路基板に実装され、プラグコネクタがレセプタクルコネクタに差し込まれて接続される構造を有する場合、２つの電気コネクタの結合方向は、回路基板に平行にすることができ、回路基板に垂直にすることもできる。プラグコネクタがレセプタクルコネクタに対して回路基板に平行な方向に挿入される構造を有するものである場合、レセプタクルコネクタの収容部が回路基板に平行方向に開口した形態を有し、回路基板と向き合う収容部の下面の一部が切欠かれて弾性片が形成される構造となる。このような構造においては、電気コネクタを回路基板に半田付けする際に、飛散した微量なフラックスが切欠かれた部分を介して収容部内に侵入する可能性がある。
【００１０】
そこで、本発明は上記問題に対処すべくなされたものであり、本発明の第１の目的は、ターミナルが通る経路を電磁気干渉から最大限保護できる電気コネクタを提供することにある。
【００１１】
また、本発明の第２の目的は、電気コネクタを回路基板に半田付けする際に、飛散したフラックスが収容部内に侵入することを防止し得る電気コネクタを提供することにある。
【課題を解決するための手段】
【００１２】
上述した第１の目的を達成するために、本発明の一態様による電気コネクタは、一端に、相手コネクタと接続するための接触部を備え、他端に、回路基板に実装される実装部を備える複数のターミナルと、該複数のターミナルが相互離間した形態で装着され、前記接触部が定着するタングプレートを備えるインシュレータと、該インシュレータと結合され、前記回路基板に装着される遮蔽シェルと、を備え、前記遮蔽シェルは、前方と後方に開口して、前記タングプレートを覆う収容部を備える第１のシェルと、該第１のシェルの後面部に結合して、前記収容部の後方側開口を完全に覆うように配置されるベースプレートと、該ベースプレートの両側面から前方へ延長形成されて、前記インシュレータの側面部の少なくとも一部を覆う延長プレートとを備える第２のシェルとを備える。
【００１３】
ここで、前記第１のシェルの後面部には、凹凸形態の結合部が形成され、前記第２のシェルには、前記凹凸形態で形成される嵌入部が形成されて、前記結合部と前記前記嵌入部とが噛み合う方式で結合することができる。
【００１４】
また、前記ベースプレートと前記延長プレートとの間には、ホール形態の連結部が形成され、該連結部は、前記結合部に嵌合することができる。
【００１５】
また、前記第１のシェルは、前記収容部の下面前端部から１８０度で折り曲げられて後方へ延び、前記収容部の下面を完全に覆うカバー部をさらに備えることができる。
【００１６】
また、前記第１のシェルは、前記カバー部の後端から折り曲げられて下方へ延びる遮蔽部をさらに備えることができる。
【００１７】
また、前記インシュレータと前記複数のターミナルとは、前記遮蔽部と前記第２のシェルとの間に配置することができる。
【００１８】
また、前記収容部の下面には、一部が切欠き及び折り曲げられて前記相手コネクタを弾性支持する弾性片が形成され、前記カバー部には、前記弾性片が下方に弾性変形され得る空間を提供するように下方に陥没したエンボス部が形成されてもよい。
【００１９】
また、前記第１のシェルは、前記カバー部の両側から折り曲げられ、下方へ延びて前記回路基板に固定される複数の延長部をさらに備えることができる。
【００２０】
また、前記延長部の下端には、前記回路基板に形成される挿入ホールに挿入されて半田付けされる固定ピンが形成されてもよい。
【００２１】
また、前記インシュレータは、垂直方向に形成されるインシュレータボディと、該インシュレータボディの上部から前方へ突出形成される前記タングプレート及び前記インシュレータボディの下部両側から前方へ突出形成される側面プレートを備えることができる。
【００２２】
また、前記延長プレートは、前記側面プレートより高く延長形成することができる。
【００２３】
また、前記ターミナルは、前記接触部が上方へ膨らんで形成される上部接触部を有する第１のターミナルと、前記接触部が下方へ膨らんで形成される下部接触部を有する第２のターミナルとで構成することができる。
【００２４】
また、前記タングプレートの上面には、前記上部接触部が定着する第１の定着部が形成され、前記タングプレートの下面には、前記下部接触部が定着する第２の定着部が形成されてもよい。
【００２５】
そして、前記第１のターミナルと第２のターミナルとは、前記タングプレートに交互に配置することができる。
【００２６】
一方、上述した第１の目的を達成するために、本発明の他の態様による電気コネクタは、一端に、相手コネクタと接続するための接触部を備え、他端に、回路基板に実装される実装部を備える複数のターミナルと、該複数のターミナルが相互離間した形態で装着され、前記接触部が定着するタングプレートを備えるインシュレータと、該インシュレータと結合され、前記回路基板に装着される遮蔽シェルと、を備え、前記遮蔽シェルは、前方と後方に開口して、前記タングプレートを覆う収容部を備える第１のシェルと、該第１のシェルの後面部に結合されて、前記収容部の後方側開口を完全に覆うように配置される第２のシェルと、を備え、前記第１のシェルの後面部には、凹凸形態の結合部が形成され、前記第２のシェルには、前記凹凸形態で形成される嵌入部が形成されて、前記結合部と前記嵌入部とが噛み合う方式で前記第１のシェルと前記第２のシェルとが相互結合されることを特徴とする。
【００２７】
上述した第２の目的を達成するために、本発明の一実施形態に係る電気コネクタは、一端に、相手コネクタと接続するための接触部を備え、他端に、回路基板に実装される実装部を備える複数のターミナルと、該複数のターミナルが相互離間した形態で装着され、前記接触部が定着するタングプレートを備えるインシュレータと、前記タングプレートを覆う収容部を有し、前記インシュレータと結合されて前記回路基板に装着される遮蔽シェルと、を備え、前記収容部の下面には、該下面の一部を切欠き及び折り曲げて形成した弾性片が備えられ、前記遮蔽シェルは、前記収容部の下面前端部から折り曲げられて後方へ延びるカバー部をさらに備え、前記カバー部は、前記弾性片により形成された開口を覆うように配置される。
【００２８】
ここで、前記カバー部は、前記収容部の下面を完全に覆うように形成することができる。
【００２９】
また、前記カバー部には、前記弾性片が下方に弾性変形され得る空間を提供するように下方に陥没したエンボス部が形成されてもよい。
【００３０】
また、前記遮蔽シェルは、前記カバー部の両側から折り曲げられて下方へ延び、前記回路基板に固定される複数の延長部をさらに備えることができる。
【００３１】
また、前記延長部の下端には、前記回路基板に形成される挿入ホールに挿入されて半田付けされる固定ピンが形成されてもよい。
【００３２】
また、前記遮蔽シェルは、前記カバー部の後端から折り曲げられて下方へ延びる遮蔽部をさらに備えることができる。
【００３３】
また、前記複数のターミナルは、前記遮蔽部と第２のシェルとの間に配置することができる。
【００３４】
また、前記遮蔽シェルは、前方と後方に開口する前記収容部と、前記カバー部を備える第１のシェルと、該第１のシェルの後面部に結合されて、前記収容部の後方側開口を完全に覆うように配置されるベースプレートと、前記ベースプレートの両側面から前方へ延長形成されて、前記インシュレータの側面部の少なくとも一部を覆う延長プレートとを備える第２のシェルとを備えることができる。
【００３５】
また、前記第１のシェルの後面部には、凹凸形態で形成される結合部が形成され、前記第２のシェルには、凹凸形態で形成される嵌入部が形成されて、前記結合部と前記嵌入部とを噛み合う方式で結合することができる。
【００３６】
そして、前記ベースプレートと前記延長プレートとの間には、ホール形態の連結部が形成され、前記連結部は、前記結合部に嵌合することができる。
【発明の効果】
【００３７】
上述した解決手段を介して得ることができる本発明の効果は、次の通りである。
第１の効果は、第２のシェルの外郭部が第１のシェルの後方部に噛み合う方式で結合して、収容部の後方側開口を完全に覆うように配置されるところ、遮蔽シェルの遮蔽面を折り曲げてインシュレータの後面を隠すようにした既存の構造に比べてインシュレータの後面をより多く隠すことができ、ＥＭＩ（Electro Magnetic Interference）遮蔽性能を向上することができる。
【００３８】
また、第２のシェルの延長プレートがインシュレータの左右側面部の上端より高く延長形成されることにより、側方向におけるＥＭＩ遮蔽性能を向上することができる。
【００３９】
また、第１のシェルのカバー部の後端部で遮蔽部が下方に延長形成され、遮蔽部と第２のシェルのベースプレートとの間で前記複数のターミナルが上下に延長配置されることにより、ＥＭＩ遮蔽性能を向上することができる。
【００４０】
第２の効果は、収容部の下面に該下面の一部が切欠き及び折り曲げられた弾性片が備えられ、遮蔽シェルに収容部の下面前端部から折り曲げられて後方へ延びるカバー部が備えられ、カバー部が弾性片の形成により収容部の下面に生じた開口を覆うように配置されることにより、電気コネクタを回路基板に半田付けする際に、飛散したフラックスが収容部内に侵入することを防止することができる。
【００４１】
また、前記カバー部は、長期間の使用において収容部内部に埃や異物が侵入することも防止することができる。
【００４２】
また、カバー部には、前記弾性片が弾性変形できる空間を提供する溝形態のエンボス部が設けられていることにより、弾性片の変形動作が妨げられない。
【図面の簡単な説明】
【００４３】
【図１】本発明の第１の実施形態に係る電気コネクタを回路基板から分離して見せた斜視図である。
【図２】図１に示された電気コネクタを他の方向で眺めた斜視図である。
【図３】図１に示された電気コネクタを前方から眺めた分解斜視図である。
【図４】図１に示された電気コネクタを後方から眺めた分解斜視図である。
【図５】図１に示された第１のシェルを底部から見た斜視図である。
【図６】図１に示された電気コネクタにおけるインシュレータとターミナルとの結合斜視図である。
【図７】図１に示された電気コネクタにおけるインシュレータとターミナルとの分解斜視図である。
【図８】図６における第１のターミナルと第２のターミナルとの側面図である。
【図９】本発明の第１の実施形態に係る電気コネクタの平面図である。
【図１０】本発明の第１の実施形態に係る電気コネクタの正面図である。
【図１１】本発明の第１の実施形態に係る電気コネクタの底面図である。
【図１２】本発明の第１の実施形態に係る電気コネクタの側面図である。
【図１３】本発明の第１の実施形態に係る電気コネクタの背面図である。
【図１４】本発明の第２の実施形態に係る電気コネクタの斜視図である。
【図１５】本発明の第２の実施形態に係る電気コネクタの分解斜視図である。
【発明を実施するための形態】
【００４４】
以下、本発明に関連した電気コネクタについて、図面を参照してより詳細に説明する。
添付された図面は、本明細書に開示された実施形態を容易に理解できるようにするためのものであり、添付された図面によって本明細書に開示された技術的思想が制限されず、本発明の思想及び技術範囲に含まれるあらゆる変更、均等物又は代替物を含むことと理解されなければならない。
【００４５】
説明の都合上、本明細書では、本発明の第１の実施形態に係る電気コネクタが図１に示すようなＨＤＭＩ方式のＡタイプレセプタクルコネクタである場合について説明する。しかしながら、本発明はこれに限定されるものではなく、ＨＤＭＩ方式以外のプロトコルを利用する様々な電気コネクタに適用され得ることは自明である。
【００４６】
図１は本発明の第１の実施形態に係る電気コネクタを回路基板から分離して見せた斜視図で、図２は図１に示された電気コネクタを他の方向から眺めた斜視図である。また、図３及び図４は図１に示された電気コネクタを互いに異なる方向から眺めた分解斜視図であり、図５は図１に示された第１のシェルの底部から見た斜視図で、図６及び図７は図１に示された電気コネクタにおけるインシュレータとターミナルとの結合斜視図及び分解斜視図である。さらに、図８は図６における第１のターミナルと第２のターミナルとの側面図である。
【００４７】
本発明の第１の実施形態に係る電気コネクタは、一端には、図示省略のプラグコネクタ（相手コネクタ）との接続のための接触部５２，５７を備え、他端には、回路基板６０に実装される実装部５３，５８を備える複数のターミナル５０，５５と、該複数のターミナル５０，５５が相互離間した形態で装着され、前記接触部５２，５７が定着するタングプレート（tongue-plate）４３を備えるインシュレータ４０と、該インシュレータ４０と結合され、前記回路基板６０に装着される遮蔽シェル１０，３０とを備え、前記遮蔽シェル１０，３０は、前方と後方に開口して前記タングプレート４３を覆う収容部１１を備える第１のシェル１０と、該第１のシェル１０の後方部に前記収容部１１の後方側開口を完全に覆うように配置されるベースプレート３１を有する第２のシェル３０と、を備え、前記第２のシェル３０の延長プレート３５が前記インシュレータ４０の側面部４１，４６の少なくとも一部を覆うように形成されている。
【００４８】
本発明の第１の実施形態に係る電気コネクタは、インシュレータ４０、ターミナル５０，５５及び遮蔽シェル１０，３０を備える。
【００４９】
インシュレータ４０は、合成樹脂等の絶縁性材料で形成される。インシュレータ４０には、複数のターミナル５０，５５が結合され、インシュレータ４０は、このような複数のターミナル５０，５５の相互間を電気的に絶縁するように構成される。
【００５０】
インシュレータ４０は、垂直方向に直立した箱形態で形成されるインシュレータボディ４１と、該インシュレータボディ４１の上部から前方へ突出形成されるタングプレート４３と、前記インシュレータボディ４１の下部から前方へ突出形成される側面プレート４６とを備える。
【００５１】
インシュレータボディ４１には、ターミナル５０，５５が貫設される。ターミナル５０，５５は、インシュレータボディ４１に挿設される。具体的には、ターミナル５０，５５の本体部５１，５６は、インシュレータボディ４１に挿入され、ターミナル５０，５５上端の接触部５２，５７は、インシュレータボディ４１の前方上部に露出され、ターミナル５０，５５下端の実装部５３，５８は、インシュレータボディ４１の下部に露出される。ターミナル５０，５５は、インシュレータ４０にインサート射出方式により挿入することができる。
【００５２】
タングプレート４３は、インシュレータボディ４１の上部の一部から前方へ突出形成される。タングプレート４３は、ターミナル５０，５５の接触部５２，５７を定着させるためのものである。これにより、インシュレータボディ４１は、垂直方向に形成され、タングプレート４３は、インシュレータボディ４１に対して直交するように、即ち、水平方向に突出形成される。相手コネクタとの組立空間を確保するためには、インシュレータボディ４１の高さは高く形成され、タングプレート４３は、インシュレータボディ４１の上部に形成されるとよい。
【００５３】
インシュレータ４０のタングプレート４３には、ターミナル５０，５５の接触部５２，５７が定着し、露出される。本発明の第１の実施形態として提示されたＨＤＭＩコネクタでは、コネクタの小型化傾向とターミナル５０，５５部材の高密度配列に対する要求により、複数のターミナル５０，５５がタングプレート４３の上下面に夫々露出されるように構成されている。
【００５４】
タングプレート４３には、溝の状態で形成された定着部４４，４５が設けられている（図７参照）。定着部４４，４５は、ターミナル５０，５５の個数以上に複数個形成される。定着部４４，４５は、タングプレート４３の上面及び下面に前後方向に延びて夫々形成される。
【００５５】
定着部４４，４５は、タングプレート４３の上面に形成される第１の定着部４４とタングプレート４３の下面に形成される第２の定着部４５とで構成される。このとき、第１の定着部４４と第２の定着部４５とは互いに交互に配置することができる。即ち、正面から見たとき、一側から第１の定着部４４、第２の定着部４５、第１の定着部４４、第２の定着部４５、第１の定着部４４、第２の定着部４５…のような順序で配置される。第１の定着部４４と第２の定着部４５とが互い違いになるように配置されることでターミナル５０，５５は干渉せず、交差せずに並んで配置することができる。定着部４４，４５によりターミナル５０，５５はタングプレート４３の上下面に夫々配置される。
【００５６】
タングプレート４３には、定着部４４，４５の前後端部に夫々接触部ホール４８が定着部４４，４５に直交する方向に形成される。接触部ホール４８は、接触部５２，５７の前端部及び後端部が夫々位置付けられる空間を提供する。
【００５７】
側面プレート４６がインシュレータボディ４１の下部から前方へ突出形成される。側面プレート４６は、インシュレータボディ４１の両側から夫々前方へ突出形成することができる。側面プレート４６は、タングプレート４３に平行するように形成されて支持力を発揮するように設けられる。
【００５８】
インシュレータ４０の下部には、回路基板６０に支持される支持部４７が備えられている。支持部４７が回路基板６０に支持されることにより、電気コネクタを回路基板６０上に安定的に支持することができる。
【００５９】
支持部４７は、インシュレータボディ４１又は側面プレート４６に形成することができる。例えば、支持部４７は、インシュレータボディ４１の下面又は側面プレート４６の下面に形成することができる。支持部４７は、側面プレート４６の前後端部に夫々形成することができる。支持部４７は、遮蔽シェル１０，３０が回路基板６０に結合されるとき、回路基板６０に接触して支持力を発揮する。
【００６０】
インシュレータボディ４１の下面には、下部溝４２が形成されて、ターミナル５０，５５の実装部５３，５８が配置及び露出される。
【００６１】
側面プレート４６又はインシュレータボディ４１の下部には、嵌入突起４９が設けられて、遮蔽シェル１０，３０の第１のシェル１０が嵌合される。インシュレータ４０を第１のシェル１０の後方から前方方向へ押し込むと、第１のシェル１０の側面脚部２５が嵌入突起４９により結合される。
【００６２】
ターミナル５０，５５は、金属等の導電性材料で形成される。ターミナル５０，５５の一端部（上端部）は、接触部５２，５７であって、該接触部５２，５７が相手コネクタ（図示せず）の接触ピンと接触して、相互分離されていた２つの電気回路を接続する。また、ターミナル５０，５５の他端部は、実装部５３，５８であって、該実装部５３，５８が回路基板６０のターミナル接続部６２に半田付けされて回路基板６０の回路部と電気的に接続される。
【００６３】
ターミナル５０，５５の本体部５１，５６は、地面又は垂直方向に対して所定角度で傾斜形成されている（図８参照）。ターミナル５０，５５の上端部には、接触部５２，５７が前方へ突出形成され、ターミナル５０，５５の下端部には、実装部５３，５８が後方へ突出形成されている。
【００６４】
ターミナル５０，５５は、複数個が並んで配置される。ターミナル５０，５５は、第１のターミナル５０と第２のターミナル５５とに区分（構成）される。このとき、第１のターミナル５０及び第２のターミナル５５の本体部５１，５６と実装部５３，５８とは、互いに同様に形成することができる。
【００６５】
第１のターミナル５０の接触部を第１の接触部又は上部接触部５２といい、第２のターミナル５５の接触部を第２の接触部又は下部接触部５７ということにする。
【００６６】
第１のターミナル５０の上部接触部５２は、上方に膨らんだ形態を有する。第１のターミナル５０の上部接触部５２は、第１の定着部４４に定着して、タングプレート４３の上面に露出する。
【００６７】
第２のターミナル５５の下部接触部５７は、下方に膨らんだ形態を有する。第２のターミナル５５の下部接触部５７は、第２の定着部４５に定着して、タングプレート４３の下面に露出する。
【００６８】
上部接触部５２の前後端及び下部接触部５７の前後端は、夫々タングプレート４３の接触部ホール４８に配置される。
【００６９】
電気コネクタに相手コネクタが取り付けられると、インシュレータ４０のタングプレート４３は、相手コネクタの挿入溝に挿入され、これにより、上部接触部５２と下部接触部５７とは、相手コネクタの対応する上部接触子及び下部接触子と夫々接触する。
【００７０】
ターミナル５０，５５の実装部５３，５８は、インシュレータ４０の下部に露出されて、回路基板６０の回路部に接続される。ここで、実装部５３，５８は、回路基板６０のターミナル接続部６２に半田付けして接続することができる。
【００７１】
遮蔽シェル１０，３０は、インシュレータ４０に結合された状態で回路基板６０に結合されて、インシュレータ４０とターミナル５０，５５とを支持して保護し、相手コネクタとの結合空間を提供する。遮蔽シェル１０，３０は、インシュレータ４０と共に回路基板６０に結合される。
【００７２】
遮蔽シェル１０，３０は、相手コネクタを収容する収容部１１を備え、金属等の導電性材料で形成される。遮蔽シェル１０，３０の収容部１１は、インシュレータ４０のタングプレート４３及び該タングプレート４３の上部と下部とに夫々露出したターミナル５０，５５の接触部５２，５７を囲むように構成されている。
【００７３】
遮蔽シェル１０，３０は、回路基板６０に半田付けされる複数の固定ピン２１により電気的に接地される。これにより、インシュレータ４０に収容されたターミナル５０，５５等を外部電磁気干渉から保護することができる（ＥＭＩ遮蔽）。回路基板６０には、複数の固定ピン２１に対応する複数の挿入ホール６１が形成されている。複数の固定ピン２１は、複数の挿入ホール６１に夫々挿入された後、半田付けされて回路基板６０に堅固に固定される。
【００７４】
収容部１１の下面には弾性片１７が形成される。この弾性片１７は、下面の一部を切欠き及び折り曲げて形成することができる。弾性片１７の一部は収容部１１の内側に突出されて、収容部１１内に相手コネクタが挿入されると、相手コネクタに弾性力を与えながら弾性変形する。このように、弾性片１７は、相手コネクタを収容部１１内で弾性支持して固定する役割をする。
【００７５】
また、相手コネクタには、弾性片１７に対応する溝が形成されるとよい。これにより、相手コネクタの挿入が完了すれば、収容部１１の内側に突出された弾性片１７の一部が相手コネクタの溝に嵌ってクリック感を提供することができる。
【００７６】
本発明の第１の実施形態では、第１のシェル１０と第２のシェル３０とが結合されて遮蔽シェル１０，３０を構成することを示している。しかし、本発明はこれに限定されるものではなく、遮蔽シェル１０，３０は、単一シェルで形成することもできる。
【００７７】
第１のシェル１０は、金属性材料で形成される。第１のシェル１０は、インシュレータ４０を収容して支持する。第１のシェル１０は、相手コネクタが結合される空間を提供し、相手コネクタを固定支持する。第１のシェル１０は、板状の材料を切欠き及び折り曲げて形成することができる。
【００７８】
第１のシェル１０は、前後方向に開口した収容部１１を備える。収容部１１には、インシュレータ４０のタングプレート４３が挿入される。収容部１１の前方は開放されて、相手コネクタが挿入されて接続することができるようになっている。収容部１１の後方にはインシュレータ４０が挿入されると共に、第２のシェル３０が結合される。第２のシェル３０は、収容部１１の後方側開口を覆うようにして第１のシェル１０の後方部に結合される。第２のシェル３０は、収容部１１の後方側開口を完全に覆うように構成される。このとき、第２のシェル３０は、第１のシェル１０の後面外郭部に歯車形態で噛み合うように結合される。
【００７９】
第１のシェル１０の後面部１２は、「匸」字形に形成することができる（図２及び図４参照）。後面部１２には、凹凸形態の結合部１３が形成される。後面部１２は、第１のシェル１０の外郭面に沿って形成されるので、第１のシェル１０と第２のシェル３０との結合部分は外郭部に沿って形成され、インシュレータ４０を露出させない。後面部１２は、収容部１１及び側面脚部２５と接するか、一部分を共有する形態で形成することができる。
【００８０】
収容部１１の背後には側面脚部２５が形成されている。側面脚部２５は、下方に延長形成される。側面脚部２５は後面部１２と接する。側面脚部２５は、インシュレータ４０の嵌入突起４９によってインシュレータ４０と結合される。側面脚部２５は、収容部１１が回路基板６０から所定距離離間して配置されるように所定長さに形成される。側面脚部２５の端部には、回路基板６０の挿入ホール６１に挿入されて半田付けされる固定ピン２１が形成される。
【００８１】
第１のシェル１０は、収容部１１を形成する下面１４の前端部から１８０度折り曲げられて後方に延びるカバー部１５を備える。カバー部１５は、収容部１１の下面１４の下に重なるように配置される。カバー部１５の折り曲げのために、収容部１１の下面１４の前端部とカバー部１５との間には折り曲げホール１６が形成されるとよい。前記折り曲げホール１６は、折り曲げラインに対応する長孔形態で形成することができる。前記折り曲げホール１６は、収容部１１とカバー部１５とが重なるように曲げられた状態で溝の形態として表れる。
【００８２】
カバー部１５は、収容部１１の下面１４の下に配置されて、弾性片１７の形成により生じた開口（弾性片周辺の開口）１８を覆うように配置される。開口１８は、「Ｕ」字形態で形成することができる。即ち、カバー部１５は、回路基板６０と収容部１１との間の下面１４に重なって収容部１１の下面に生じた開口１８を隠すように構成される。このような構成によって、電気コネクタを回路基板６０に半田付けする際に、飛散した微量のフラックス（flux）が開口１８を介して収容部１１内に侵入するのを防止することができる。また、カバー部１５は、長期間の使用により収容部１１の内部に埃や異物が侵入するのを防止することもできる。
【００８３】
収容部１１の下面１４に形成された弾性片１７に対応して、カバー部１５には下方に陥没した溝形態のエンボス部（embossed portion）１９が形成される（図５参照）。エンボス部１９は、収容部１１内に相手コネクタが挿入されるとき、下方に弾性変形する弾性片１７の一部を収容するようになっている。即ち、エンボス部１９は、弾性片１７が下方に弾性変形可能なように下方に空間的余裕を設けるために形成された空間である。このように、エンボス部１９は、弾性片１７が動作できる空間を提供する。
【００８４】
第１のシェル１０は、カバー部１５から折り曲げられて下方へ延びる複数の延長部２０をさらに備える。延長部２０は、カバー部１５の両側面に夫々形成することができる。延長部２０は、側面脚部２５と共に収容部１１を回路基板６０から所定距離離間して配置し、相手コネクタとの組立性を向上させると共に、第１のシェル１０を回路基板６０に結合させて支持する役割をする。延長部２０の端部には、回路基板６０の挿入ホール６１に挿入されて半田付けされる固定ピン２１が形成される。固定ピン２１は、各延長部２０の端部に形成することができ、複数の延長部２０が合わせられた部分に形成することもできる。また、延長部２０の一部を切欠き及び折り曲げて形成することもできる。
【００８５】
半田ペーストが固定ピン２１と挿入ホール６１との間の空間により多く染み込んで半田付けされる面積が広くなるように、固定ピン２１には切欠き部２２又はホールが形成されてもよい。
【００８６】
第１のシェル１０は、カバー部１５の後端から折り曲げられて下方へ延びる遮蔽部２３をさらに備えることができる。遮蔽部２３と第２のシェル３０との間には、ターミナル５０，５５が装着されたインシュレータ４０が配置される。即ち、遮蔽部２３は、ターミナル５０，５５とインシュレータ４０を前方で隠すように配置され、第２のシェル３０は、ターミナル５０，５５とインシュレータ４０を後方で隠すように配置される。このように、遮蔽部２３がターミナル５０，５５の本体部５１，５６を覆うように配置されることにより、ＥＭＩ遮蔽性能を向上することができる。
【００８７】
第２のシェル３０は、第１のシェル１０の後方に結合されて、第１のシェル１０に形成された収容部１１の後方側開口を覆うように配置される。また、第２のシェル３０は、インシュレータ４０の後面部と左右側面プレート４６とを覆うように配置されて、ＥＭＩ遮蔽性能を向上させている。
【００８８】
第１のシェル１０と第２のシェル３０とは、溶接によって相互結合することができ、フック結合又は嵌入方式で相互結合することもできる。本発明の第１の実施形態では、第１のシェル１０の後面部１２に凹凸形態の結合部１３が形成され、第２のシェル３０に前記収容部１１に対応する凹凸形態の嵌入部３３が形成されて相互結合可能に構成されていることを示している。第１のシェル１０と第２のシェル３０との堅固な結合のために、これらの結合部分は溶接することができる。第２のシェル３０の嵌入部３３が第１のシェル１０の結合部１３に噛み合うことによってインシュレータ４０の後面部は露出されない。第１のシェル１０の結合部１３と第２のシェル３０の嵌入部３３とは、歯が噛み合うように結合されて遮蔽性能を向上させる。
【００８９】
第２のシェル３０は、平板で形成されるベースプレート３１及びベースプレート３１の両側面から折り曲げられて前方へ延びる延長プレート３５を備える。
【００９０】
ベースプレート３１は、第１のシェル１０の後面部１２を完全に覆うように配置される。ベースプレート３１の外郭部（枠部）には、第１のシェル１０の後面部１２との結合のために、凹凸形態の嵌入部３３が形成されている。ベースプレート３１は、第１のシェル１０に収容されたインシュレータ４０の後面を完全に覆うように、第１のシェル１０の後面部１２を完全に覆う大きさで形成される。
【００９１】
延長プレート３５は、ベースプレート３１の左右両側から夫々折り曲げられて前方へ延長形成される。延長プレート３５は、インシュレータ４０の左右側面部４１，４６の少なくとも一部を覆うように配置される。ここで、インシュレータ４０の側面部４１，４６は、インシュレータボディ４１の側面だけでなく、側面プレート４６を含むことができる。ＥＭＩ遮蔽性能の向上のために、延長プレート３５は、インシュレータ４０の左右側面プレート４６の上端より高く延長形成されることが好ましい。
【００９２】
延長プレート３５は、第１のシェル１０に形成された複数の延長部２０のうち、少なくとも１つを側面で覆うように配置することができる。又は、延長プレート３５は、第１のシェル１０に形成された複数の延長部２０のうち、少なくとも１つに接するように配置することもできる。これにより、インシュレータ４０の側面部４１，４６は、第１のシェル１０の延長部２０と側面脚部２５及び第２のシェル３０の延長プレート３５により遮蔽される。
【００９３】
ベースプレート３１と延長プレート３５との連結部分には、ホール形態の連結部３６が形成される。この連結部３６は、第１のシェル１０の結合部１３と嵌合するように構成することができる。即ち、前記連結部分３６は、第１のシェル１０の結合部１３が嵌る嵌入部として機能することができる。
【００９４】
延長プレート３５の下部には、受け部３７が延長形成される。このとき、受け部３７は、電気コネクタが回路基板６０に取り付けられたとき、回路基板６０に接する長さで形成される。これにより、受け部３７が第２のシェル３０を支持することで電気コネクタが安定的に維持されるようになる。受け部３７は、ベースプレート３１方向に折り曲げ及び延びることができる。
【００９５】
図９〜図１３には、夫々本発明の第１の実施形態に係る電気コネクタの平面図、正面図、底面図、側面図、背面図が示されている。これらの図には、本発明の第１の実施形態に係る電気コネクタにおける電磁気干渉遮蔽及び飛散物侵入防止効果が示されている。
【００９６】
図９の平面図には、第１のシェル１０と第２のシェル３０との結合部分Ａは、結合部１３と嵌入部３３とにより噛み合うように結合して、隙間が形成されることなくインシュレータ４０が露出せずに完全に遮蔽された状態が示されている。
【００９７】
図１０の正面図には、第１のシェル１０の収容部１１の下面１４内で弾性片１７が形成される部分Ｂがカバー部１５により隠されることで収容部１１の下面に対する遮蔽が向上し、飛散物や異物の侵入が防止された状態が示されている。また、遮蔽部２３によりインシュレータボディ４１の下部が遮蔽され、延長部２０、側面脚部２５、及び延長プレート３５によりインシュレータ４０の側面部４１，４６が遮蔽された状態が示されている。
【００９８】
図１１の底面図には、エンボス部１９が形成されたカバー部１５により収容部１１の下面１４が完全に閉鎖された状態が示されている。カバー部１５によりインシュレータ４０は遮蔽されて、タングプレート４３は下方へ全く露出されていない。
【００９９】
図１２の側面図には、第１のシェル１０と第２のシェル３０とが結合する後方部分Ｃが噛み合う方式で結合されて完全に遮蔽された状態が示されている。また、インシュレータ４０の側面部４１，４６も露出を最小化した状態が図示されている。
【０１００】
図１３の背面図には、第１のシェル１０と第２のシェル３０とが結合部１３及び嵌入部３３により、及び側面脚部２５と連結部３６とにより完全に噛み合う状態で結合されて、インシュレータ４０の後面が全く露出されない状態が示されている。
【０１０１】
図１４及び図１５は、本発明の第２の実施形態に係る電気コネクタ１００を示している。この第２の実施形態において第１のシェル１１０と第２のシェル１３０とが結合される部分１１３，１３３や収容部１１１は、第１の実施形態と同様に構成することができる。（図中の符号は、第１の実施形態と同様の要素に対しては、後の２桁の数を同様に表記した。例えば、第１の実施形態のインシュレータ４０は、第２の実施形態においてインシュレータ１４０である。）
【０１０２】
ただし、第２の実施形態においては、第２のシェル１３０の延長プレート１３５に固定ピン１２１を形成することもできる。即ち、複数の固定ピン１２１のうちの一部は、第１のシェル１１０に形成され、他の一部は、第２のシェル１３０に形成することもできる。また、延長プレート１３５は、拡張形成されてインシュレータ１４０の側面プレート１４６の相当部分を隠すように形成することができる。
【０１０３】
本発明の各実施形態に係る電気コネクタの効果は、次の通りである。
第１の効果として、本発明においては、第２のシェルの外郭部が第１のシェルの後方部に噛み合う方式で結合されて、収容部の後方側開口を完全に覆うように構成されることにより、遮蔽シェルの遮蔽面を折り曲げてインシュレータの後面を隠す既存の構造に比べてインシュレータの後面をより多く隠すことができ、ＥＭＩ遮蔽性能を向上することができる。
【０１０４】
また、第２のシェルの延長プレートがインシュレータの左右側面部の上端より高く延長形成されることにより、側方向におけるＥＭＩ遮蔽性能を向上することができる。
【０１０５】
また、第１のシェルのカバー部の後端部で遮蔽部が下方に延長形成され、遮蔽部と第２のシェルのベースプレートとの間で前記複数のターミナルが上下に延長配置されることにより、ＥＭＩ遮蔽性能を向上することができる。
【０１０６】
第２の効果として、収容部の下面に該下面の一部を切欠き及び折り曲げた弾性片が備えられ、遮蔽シェルに収容部の下面前端部から折り曲げられて後方へ延びるカバー部が備えられ、カバー部が弾性片の形成により生じた開口を覆うように配置されることにより、電気コネクタを回路基板に半田付けする際に、飛散したフラックスが収容部内に侵入することを防止することができる。
【０１０７】
また、前記カバー部は、長期間使用する場合に、収容部内部に埃や異物が侵入することも防止することができる。
【０１０８】
また、カバー部には、前記弾性片が弾性変形できる空間を提供する溝形態のエンボス部が設けられていることにより、弾性片の変形動作が妨げられない。
【０１０９】
以上で説明した上記実施形態等は、本発明を実現する実施形態であって、本発明の属する技術分野における通常の知識を有する者であれば、本発明の本質的な特性から逸脱しない範囲で様々な修正及び変形が可能であろう。したがって、本発明に開示された実施形態等は、本発明の技術思想を限定するためのものではなく、説明するためのものであり、このような実施形態によって本発明の技術思想の範囲が限定されるものではない。即ち、本発明の保護範囲は、特許請求の範囲によって解釈されなければならず、それと同等な範囲内のあらゆる技術思想は、本発明の権利範囲に含まれることと解釈されるべきであろう。
【図１】
2019186215.tif 000003
【図２】
2019186215.tif 000004
【図３】
2019186215.tif 000005
【図４】
2019186215.tif 000006
【図５】
2019186215.tif 000007
【図６】
2019186215.tif 000008
【図７】
2019186215.tif 000009
【図８】
2019186215.tif 000010
【図９】
2019186215.tif 000011
【図１０】
2019186215.tif 000012
【図１１】
2019186215.tif 000013
【図１２】
2019186215.tif 000014
【図１３】
2019186215.tif 000015
【図１４】
2019186215.tif 000016
【図１５】
2019186215.tif 000017
【外国語明細書】
2019186215000001.pdf